(57)【要約】      （修正有）【課題】夜間や悪天候時にも視認性が高く、且つ強風による支柱への絡みつきを軽減することができる吹流しを提供する。【解決手段】夜間対応吹流しは、ポール１０６と、所望の高さ位置に取付けられ、軸の周りに回転可能な第一の回転装置１０５と、第一の回転装置の回転軸に垂直に交わる軸周りに回転する第二の回転装置１０７と、第二の回転装置に結束具により付設され、柔軟性と光源が透過する透過性を有する生地を用いた吹流し本体１０１とを有する。さらに、発電手段及び蓄電池と、吹流し本体内側に付設された吹流しの中央部分から内側面に向かって光を照射する照明装置及び照明装置支持具を有する照明装置部と、電源供給手段とを有し、照明装置部は、吹流し本体の開口断面と並行して任意の間隔で複数個付設され、各々を電源供給路となる連結具で連結して吹流し本体の筒形状を成す構成とする。【選択図】図１
0003187586.tif 000002
【実用新案登録請求の範囲】
【請求項１】
取り付け立設のためのポールと、その所望の高さ位置に取付けられ、その軸の周りに回転可能な第一の回転装置と、前記第一の回転装置の回転軸に直角な軸の周りに回転可能な第二の回転装置と、前記第二の回転装置に結束具により付設され、風を受けて風にたなびく柔軟性と光透過性を有する生地を側面に用いた吹流し本体と、任意の位置に付設された発電手段及び蓄電池と、前記吹流し本体内側に付設された前記吹流しの内側面に向かって光を照射する照明装置と前記側面の前記生地に結合する支持体と前記照明装置と前記支持体を繋ぐ照明装置支持具を有する照明装置部と、前記蓄電池から前記照明装置部へ電気を供給する為の電源供給手段とを有し、前記照明装置部は、前記吹流し本体の開口断面と並行して任意の間隔で複数個付設され、各々を電源供給路となる連結具で連結して吹流し本体の筒形状を成すことを特徴とする夜間対応吹流し。
【請求項２】
前記側面の生地として光源の光が当たる光透過性部と光不透過性部又は着色部を交互に配したことを特徴とする請求項１記載の夜間対応吹流し。
【請求項３】
前記連結具は、前記照明装置部の各々の間で曲折可能であることを特徴とする請求項１又は請求項２記載の夜間対応吹流し。
【請求項４】
前記連結具は、その内部及び外部を通じて前記照明装置部に電源を供給することを特徴とする請求項１から請求項３のいずれか１つに記載の夜間対応吹流し。
【請求項５】
前記支持体は、前記照明装置支持具と一体であることを特徴とする請求項１から請求項４のいずれか１つに記載の夜間対応吹流し。

【考案の詳細な説明】
【技術分野】
【０００１】
本考案は、夜間や悪天候時にも視認しやすい吹流しに関する。
【背景技術】
【０００２】
従来、主に高速道路には布などでできた筒状の吹流し（図４の４−Ａ参照）が支柱によって高所に設置され、吹流しがたなびく方向や角度を見ることで、風向や風速を測ってきた。具体的には、地面に立てるためのポール４０３があり、このポール４０３の上部には、このポール４０３の軸の周りに回転可能なように取り付けられた回転筒４０４が備えてあって、吹流し本体４０１はロープ４０２によって、この回転筒４０４に取り付けられる。
回転筒４０４はポール４０３の外周に沿って回転可能になっており、吹流し本体４０１が風を受けて風向の方向にたなびく。このような吹き流しは電力等のエネルギーを使用せずに風向や風速が分かるため、非常に単純で分かりやすいものであった。
【０００３】
然しながら吹流しは、強風で風の吹く方向が定まらない時などは支柱に巻き付いてしまいその機能を果たさない場合や、日中は視認しやすいが、夜間あるいは悪天候時には、その色彩や柄を工夫するだけでは視認しにくいという欠点がある。そのような状況でも使用するためには支柱に巻き付かずに且つ何らかの手段で吹流しを照らす必要がある。
【０００４】
吹流しを照らす発明としては特許文献１、特許文献２が挙げられる。また、吹流しを支柱に絡みにくくする発明として特許文献３が挙げられる。特許文献１のものは、図４の４−Ｂに示されている。太陽光発電を利用し、吹流しの開口部または外表面にキセノンランプやLEDなどの光源を設け、前者は内部を、後者は外部を照らすようになっている。しかし、前者では、照明の照らす方向が吹流しの長さ方向に対してであるために、前者による光が吹流しの生地表面に直角方向には出てこないので視認性が若干落ちる一方、後者の吹流しの表面に光源を付けた場合には、様々な角度にたなびく吹流しをどの方向から見ても視認できるように取り付ける必要があるため、光源の数と取り付け方には工夫が欠かせない。
【０００５】
特許文献２のものは図４の４−Ｃに示されている。太陽光や風力による発電を行う他、吹流しが透明または半透明で、発光体用の電源が吹流しの口に設置された場合と外部に設置され配線される両方が書いてある。とくに、風を取り入れる開口部に照明手段を設け、長さ方向に光を照射する構成だが、光が吹流しの生地表面に直角方向には出てこないため、光源から離れるほど暗くなり視認性が落ちる。一方、吹流しが透明または半透明であれば夜間の視認性は高まる一方で、日中の視認性は低下するというデメリットがある。
【０００６】
また、特許文献３のものは図４の４−Ｄに示されている。強風によって吹流しが巻き付くことを防止する目的として、吹流し本体の開口部分を、ロープ等を用いず直接支柱へ接続するような態様をとっている。しかしながら、開口部から本体部分においては絡みつき防止のための特別な施策を施していない為、強風時には本体が直接ポールに巻き付いてしまうという欠点があった
【先行技術文献】
【特許文献】
【０００７】
【特許文献１】実開平５−１１０８９
【特許文献２】特開２００３−５８０８４
【特許文献３】特開２００５−１６５３１０
【考案の概要】
【考案が解決しようとする課題】
【０００８】
そのような事から、本考案の課題は、夜間や悪天候時にも視認性が高く、且つ強風による支柱への絡みつきを軽減することができる吹流しを提供することである。
【課題を解決するための手段】
【０００９】
本考案による夜間対応吹流しは、吹流し本体に透過性を持つ生地を使用し、吹流しの内部から内側面方向に向かって発光体による光照射を行うことにより、昼夜を問わず安定した視認性を有する吹流しを提供することが可能となる。
また、各照明装置部各々を、電源供給機能を有する連結具を用いて連結して吹流し本体の筒形状を保つことにより、強風による支柱への絡みつきを防止することが可能となる。以下、請求項に沿って記述する。
【００１０】
請求項１記載の考案は、夜間対応吹流しであって、取り付け立設のためのポールと、その所望の高さ位置に取付けられ、その軸の周りに回転可能な第一の回転装置と、前記第一の回転装置の回転軸に直角な軸の周りに回転可能な第二の回転装置と、前記第二の回転装置に結束具により付設され、風を受けて風にたなびく柔軟性と光透過性を有する生地を側面に用いた吹流し本体と、任意の位置に付設された発電手段及び蓄電池と、前記吹流し本体内側に付設された前記吹流しの内側面に向かって光を照射する照明装置と前記側面の前記生地に結合する支持体と前記照明装置と前記支持体を繋ぐ照明装置支持具を有する照明装置部と、前記蓄電池から前記照明装置部へ電気を供給する為の電源供給手段とを有し、前記照明装置部は、前記吹流し本体の開口断面と並行して任意の間隔で複数個付設され、各々を電源供給路となる連結具で連結して吹流し本体の筒形状を成すことを特徴とする夜間対応吹流し。
【００１１】
請求項２記載の考案は、請求項１記載の夜間対応吹流しにおいて、前記側面の生地として光源の光が当たる光透過性部と光不透過性部又は着色部を交互に配したことを特徴とする。
【００１２】
請求項３記載の考案は、請求項１又は請求項２記載の夜間対応吹流しにおいて、前記連結具は、前記照明装置部の各々の間で曲折可能であることを特徴とする。
【００１３】
請求項４記載の考案は、請求項１から請求項３のいずれか１つに記載の夜間対応吹流しにおいて、前記連結具は、その内部及び外部を通じて前記照明装置部に電源を供給することを特徴とする。
【００１４】
請求項５記載の考案は、請求項１から請求項４のいずれか１つに記載の夜間対応吹流しにおいて、前記支持体は、前記照明装置支持具と一体であることを特徴とする。
【考案の効果】
【００１５】
以上のように構成されているので、本考案の夜間対応吹流しは、夜間や悪天候時にも視認性が高く、且つ強風による支柱への絡みつきを軽減することが可能となる。
【図面の簡単な説明】
【００１６】
【図１】本考案の夜間対応吹流しの一実施態様を示す図である。
【図２】本考案の夜間対応吹流しの吹流し本体の一実施態様を示す図である。
【図３】本考案の夜間対応吹流しの回転装置の一実施態様を示す図である。
【図４】従来の吹流しを示す図である。
【考案を実施するための形態】
【００１７】
本考案による夜間対応吹流しは、吹流し本体に透過性を持つ生地を使用し、吹流しの内部から内側面方向に向かって発光体による光照射を行うことにより、昼夜を問わず安定した視認性を有する吹流しを提供することが可能となる。また、各照明装置部それぞれを、電源供給機能を有する連結具を用いて連結して吹流し本体の筒形状を保つことにより、強風による支柱への絡みつきを防止することが可能となる。以下、図に沿って説明する。
【００１８】
図１は、本考案の夜間対応吹流しの一実施態様を示す図である。まずは、全体の構成を説明する。取り付け立設のための支持ポール１０６には、蓄電池を有する電源コントロールボックス１０４、太陽電池１０２、風力発電機１０３などの発電装置が付設されている。また、支持ポール１０６の所望の高さには、支持ポール１０６の軸の周りに回転可能な第一の回転装置１０５が、固定用ボルト１１１によって固定部１１０において固定されている。
【００１９】
第一の回転装置１０５には、ポール１０６の軸に対して直角な方向の軸の周りに回転可能に軸支されている第二の回転装置１０７が付設されており、これに吹き流し本体１０１を繋ぐための吹流し連結線１０９が取り付けられるため、吹流し本体１０１の回転による絡みを防止するようになっている。尚、この第一の回転装置１０５及び第二の回転装置１０７は、スリップリング等の回転接続コネクタを有しており、吹流しの動きを妨げる事無く、吹流し連結線１０９及び図２の２−Ａに表している照明装置部連結具２０４を介して各々の照明装置部２０５へ電力供給を行うことができる。尚、照明装置部連結具２０４は、適度の間隔で取り付けられた各々の照明装置部２０５を照明用の電源線を備えた状態で連結するものである。これにより、供給された電気を使って２−Ｂで示す発行光体２０３を発光させ、吹流し本体１０１全体にわたって内側面を内部から照らすことが可能となる。
【００２０】
ここで、図２を用いて吹流し本体１０１の詳細について説明する。図２は、本考案の夜間対応吹流しの吹流し本体の一実施態様を示す図である。２−Ａは斜め横から見た吹流し本体１０１の全体を、２−Ｂは、一個の照明装置部２０５を開口部方向から見た状態を表している。まずは、２−Ａから説明する。吹流し本体１０１は、風を受けて風にたなびくような柔軟性のある生地で構成されている。また、その生地は、吹流し本体１０１内部から、その内側面に向かって光を当てた場合に、吹流し本体１０１の外部へ光が透過する光透過性も有している。具体的には、綿、麻、ポリエステル等の化学繊維を用いた物、そのほか合成樹脂等を用いて形成されたものである。尚、光の透過性は夜間用に必要であるが、昼用には、無色透明よりは白、黒などの光不透過性の部分又は着色部があったほうが良いので、縞模様に、光源の光が当たる光透過性部と光不透過性の部分又は着色部を構成すると好都合である。
【００２１】
照明装置部２０５は、吹流し本体１０１の開口部２０６及び開口部２０６の面に対して並行になるように任意の間隔で複数個付設されており、さらに、照明装置部連結具２０４が、照明装置部２０５各々を連結し、吹流し本体１０１を筒形状に成す。この時、照明装置部２０５及び照明装置部連結具２０４を構成する素材は、軽量で、各々の形態が強い外力によって変形しても形状が元に戻るような復元性を有する樹脂等の素材を用いるのが良い。これにより、強風時の回り風などでも支持ポール１０６への吹流し本体１０１の巻きつきを防止すると共に、破壊されることなく視認性を確保することが可能となる。
尚、照明装置部連結具２０４は、堅牢に作れば、吹流し本体１０１の巻きつきの防止によいが、堅牢でない又は、各照明装置部連結具２０４を曲折可能にすれば、吹流し本体１０１の畳み込みが容易になる利点がある。又、この例では、照明装置部連結具２０４は、吹流し本体１０１の中心に置かれたが、外周に置いてもよい。照明装置部連結具２０４と電気供給用結線を別にしたが、一つのもので構成してもよい。
【００２２】
また、照明装置部連結具２０４は、図１で示した第二の回転装置１０７、吹流し連結線１０９を介して運ばれた電気を照明装置２０１へ供給するための供給路としても機能する。具体的には、被覆電線などを吹流し連結線１０９及び照明装置部連結具２０４の内側や外側に配して照明装置２０１へ電気を供給する。尚、図２の２―Ａでは、照明装置部連結具２０４は、照明装置２０１へ接続されているが、各々の照明装置部２０５に電源が供給されるのであれば、照明装置部連結具２０４の本数や接続箇所はこれに限定されるものではない。
【００２３】
次に図２の２−Ｂについて説明する。
２−Ｂは、照明装置部２０５を吹流し本体１０１の開口部２０６側から見た図である。
照明装置２０１には、発光体２０３が取り付けられており、それは、吹流し本体１０１の内部から吹流し本体１０１の内側面に向かって光を放つ向きで取り付けられている。尚、発光体２０３に用いる光源の種類については、LED（発光ダイオード）を用いるのが望ましいが、LEDや白熱電球、放電灯(キセノンランプ等)のうち１種類又は複数種類併用して用いても良い。
【００２４】
照明装置２０１は、照明装置支持部２０２を用いて照明具支持リング１０８の中心部分に位置するように支持されている。この時、照明装置２０１の形態や照明装置支持部２０２の本数及びその材質は、照明装置２０１を強固且つ靭やかに支持することが可能であれば、特に限定するものではない。さらに、図２の２−Cに表した別の実施態様のように、支持体２０２Aのような形態にして、照明維持リング１０８を介することなく、直接、吹流し本体１０１へ固定しても良い。尚、その場合は、支持体２０２Aと吹流し本体１０１の固定方法は、接着や紐で縛る等の方法があるが、これらに限定しない。また、支持体２０２Aの形態についても、図２の２−Cに表した形態に限るものではない。
【００２５】
最後に、図３について説明する。図３は、本考案の夜間対応吹流しにおける第一の回転装置１０５及び第二の回転装置１０７の取り付け部分と各回転装置の可動部分詳細を表した図である。３−Ａでは、第一の回転装置１０５は、支持ポール１０６へ固定する固定部１１０とこの周りで回転自在な外筒部１０５Ａを有していて、固定用ボルト１１１を用いて固定部１１０において、第一の回転装置１０５が支持ポール１０６に固定された状態を表した図であり、筒状の第一の回転装置１０５が回転可能な状態で付設されていることを表している。尚、第一の回転装置１０５は、支持ポール１０６の軸の周りに回転可能であれば、この例の形にこだわらない。
【００２６】
また、３−Ｂでは、第一の回転装置１０５に第二の回転装置１０７が付設されている一実施態様を表したものである。第二の回転装置１０７は、ポール１０６の軸に対して直角な方向の軸の周りに回転可能に軸支されている。吹流し本体１０１が風により回転した場合には、連結された吹流し連結線１０９と共に回転をすることにより、吹流し本体が絡まりにくくなり、且つ電源供給を行うことが可能となる。尚、第二の回転装置１０７が有するスリップリング等の回転接続コネクタは、同様の機能を有する機構であれば、これに限定するものではない。
【産業上の利用可能性】
【００２７】
以上のように構成されているため、本考案による夜間対応吹流しは、吹流しの内部から内側面に向かって発光体による光照射を行うことにより、昼夜を問わず安定した視認性を有する吹流しを提供することが可能となる。また、各照明装置部を、電源供給機能を有する連結具を用いてそれぞれを連結し、吹流し本体の筒形状を保つことにより、強風による支柱への絡みつきを防止することが可能となり、産業上利用性が極めて大きい。
【符号の説明】
【００２８】
１０１    吹流し本体
１０２    太陽光発電装置
１０３    風力発電装置
１０４    電源コントロールBOX
１０５    第一の回転装置
１０５Ａ  外筒部
１０６    支持ポール
１０７    第二の回転装置
１０８    照明具支持リング
１０９    吹流し連結線
１１０    固定部
１１１    固定用ボルト
２０１    照明装置
２０２    照明装置支持部
２０２Ａ  支持体
２０３    発光体
２０４    照明装置部連結具
２０５    照明装置部
２０６    開口部
４０１    吹流し本体
４０２    ロープ
４０３    ポール
４０４    回転筒
【図１】
0003187586.tif 000003
【図２】
0003187586.tif 000004
【図３】
0003187586.tif 000005
【図４】
0003187586.tif 000006